【手続補正書】
【提出日】平成24年1月26日(2012.1.26)
【手続補正１】
【補正対象書類名】明細書
【補正対象項目名】０００９
【補正方法】変更
【補正の内容】
【０００９】
本発明の第１の側面によって提供されるコンバータ制御装置は、複数の電源装置と、前記複数の電源装置の各出力端にそれぞれ接続された複数のＤＣ／ＤＣコンバータと、前記複数の電源装置と前記複数のＤＣ／ＤＣコンバータとの間に設けられ、前記複数の出力端が互いに接続されていない接続状態と前記複数の出力端のうち、少なくとも２つの出力端を接続する接続状態のいずれかの接続状態にする接続手段と、前記複数のＤＣ／ＤＣコンバータの全ての出力端に接続され、これらのＤＣ／ＤＣコンバータが出力する直流電力を交流電力に変換して系統に出力するインバータとを備えた系統連系インバータシステムに適用され、前記複数のＤＣ／ＤＣコンバータの駆動を制御するコンバータ制御装置であって、いずれか２つの前記ＤＣ／ＤＣコンバータの入力電圧を比較することにより、これらに接続されている前記電源装置の出力端が互いに接続されているか否かを判別する判別手段と、前記判別手段により前記出力端が互いに接続されていると判別された電源装置に接続された複数のＤＣ／ＤＣコンバータには、前記出力端が互いに接続された複数の電源装置からなる電源装置群の出力効率に基づいて生成されるＰＷＭ信号を出力し、前記判別手段により前記出力端が他の出力端のいずれにも接続されていないと判別された電源装置に接続されたＤＣ／ＤＣコンバータには、当該判別された電源装置の出力効率に基づいて生成されるＰＷＭ信号を出力するＰＷＭ信号出力手段と、を備えることを特徴とする。
【手続補正２】
【補正対象書類名】明細書
【補正対象項目名】００１０
【補正方法】変更
【補正の内容】
【００１０】
この構成によると、出力端が互いに接続された複数の電源装置からなる電源装置群に対応するＰＷＭ信号が、これらの電源装置に接続されているＤＣ／ＤＣコンバータに入力され、出力端が他の出力端のいずれにも接続されていない電源装置に対応するＰＷＭ信号が当該電源装置に接続されているＤＣ／ＤＣコンバータに入力される。したがって、各電源装置の出力端の接続の状態に合わせて、ＰＷＭ信号の生成方法の切り替えを行なう必要が無い。出力端が互いに接続されているか否かの判別に、もともとＰＷＭ信号を生成するために入力されているＤＣ／ＤＣコンバータの入力電圧を利用するので、従来のコンバータ制御装置のハード構成を変更することなく用いることができる。
【手続補正３】
【補正対象書類名】明細書
【補正対象項目名】００１１
【補正方法】変更
【補正の内容】
【００１１】
本発明の好ましい実施の形態においては、前記判別手段により前記複数の電源装置の全ての出力端が相互に接続されていると判別された場合に前記複数の電源装置は並列状態であると判定し、前記複数の電源装置の各出力端がいずれも他の出力端と接続されていないと判別された場合に前記複数の電源装置は独立状態であると判定する判定手段をさらに備え、前記ＰＷＭ信号出力手段は、前記判定手段により前記並列状態と判定された場合には、並列接続された全ての電源装置からなる電源装置群の出力効率に基づいて生成されるＰＷＭ信号を全ての前記ＤＣ／ＤＣコンバータに出力し、前記判定手段により前記独立状態と判定された場合には、前記各電源装置の出力効率に基づいて生成されるＰＷＭ信号を当該電源装置に接続されたＤＣ／ＤＣコンバータにそれぞれ出力する。
【手続補正４】
【補正対象書類名】明細書
【補正対象項目名】００１２
【補正方法】変更
【補正の内容】
【００１２】
本発明の好ましい実施の形態においては、前記ＰＷＭ信号出力手段は、前記複数のＤＣ／ＤＣコンバータのうち、前記複数の電源装置のいずれか１つが接続されているＤＣ／ＤＣコンバータには、その電源装置から出力される電力が最大となるように制御するためのＰＷＭ信号を出力し、前記複数のＤＣ／ＤＣコンバータのうち、前記出力端が相互に接続されている複数の電源装置が接続されている複数の前記ＤＣ／ＤＣコンバータには、それらの電源装置から出力される前記電源装置群としての電力が最大となるように制御するためのＰＷＭ信号を出力する。
【手続補正５】
【補正対象書類名】明細書
【補正対象項目名】００１４
【補正方法】変更
【補正の内容】
【００１４】
本発明の好ましい実施の形態においては、前記判別手段は、一方のＤＣ／ＤＣコンバータの入力電圧と他方のＤＣ／ＤＣコンバータの入力電圧との差が所定値以下の場合、当該一方のＤＣ／ＤＣコンバータに接続されている電源装置の出力端と他方のＤＣ／ＤＣコンバータに接続されている電源装置の出力端とは相互に接続されていると判別し、前記一方のＤＣ／ＤＣコンバータの入力電圧と他方のＤＣ／ＤＣコンバータの入力電圧との差が前記所定値より大きい場合、当該一方のＤＣ／ＤＣコンバータに接続されている電源装置の出力端と他方のＤＣ／ＤＣコンバータに接続されている電源装置の出力端とは相互に接続されていないと判別する。
【手続補正６】
【補正対象書類名】明細書
【補正対象項目名】００１５
【補正方法】変更
【補正の内容】
【００１５】
本発明の第２の側面によって提供される系統連系インバータシステムは、複数の電源装置と、前記複数の電源装置の各出力端にそれぞれ接続された複数のＤＣ／ＤＣコンバータと、前記複数の電源装置と前記複数のＤＣ／ＤＣコンバータとの間に設けられ、前記複数の出力端が互いに接続されていない接続状態と前記複数の出力端のうち、少なくとも２つの出力端を接続する接続状態のいずれかの接続状態にする接続手段と、前記複数のＤＣ／ＤＣコンバータの駆動を制御するコンバータ制御手段と、前記複数のＤＣ／ＤＣコンバータの全ての出力端に接続され、これらのＤＣ／ＤＣコンバータが出力する直流電力を交流電力に変換して系統に出力するインバータとを備えた系統連系インバータシステムであって、前記コンバータ制御手段は、いずれか２つの前記ＤＣ／ＤＣコンバータの入力電圧を比較することにより、これらに接続されている前記電源装置の出力端が互いに接続されているか否かを判別する判別手段と、前記判別手段により前記出力端が互いに接続されていると判別された電源装置に接続された複数のＤＣ／ＤＣコンバータには、前記出力端が互いに接続された複数の電源装置からなる電源装置群の出力効率に基づいて生成されるＰＷＭ信号を出力し、前記判別手段により前記出力端が他の出力端のいずれにも接続されていないと判別された電源装置に接続されたＤＣ／ＤＣコンバータには、当該判別された電源装置の出力効率に基づいて生成されるＰＷＭ信号を出力するＰＷＭ信号出力手段とを備えることを特徴とする。
【手続補正７】
【補正対象書類名】明細書
【補正対象項目名】００１６
【補正方法】変更
【補正の内容】
【００１６】
この構成によると、前記接続手段により、前記各電源装置の出力端の接続の状態を切り替えることができる。したがって、前記各電源装置を設置した後に一部の電源装置への日射状況が変化した場合や、一部を性能の異なる電源装置で構成した電源装置群に変更する場合でも、出力端の接続の状態を切り替えることにより対応することができる。また、前記接続手段の切り替えに合わせて、ＰＷＭ信号の生成方法を切り替える必要が無い。
【手続補正８】
【補正対象書類名】明細書
【補正対象項目名】００３１
【補正方法】変更
【補正の内容】
【００３１】
電圧比較部９１は、電圧センサ８１，８２，８３からそれぞれ入力される電圧値Ｖ１，Ｖ２，Ｖ３を互いに比較して、接続装置３が並列状態であるか独立状態であるかを判定するものである。電圧比較部９１は、判定結果を信号としてＰＷＭ信号生成部９２に出力する。本実施形態では、接続装置３が並列状態である場合にはＤＣ/ＤＣコンバータ４１，４２，４３の入力側の電圧が等しくなり、接続装置３が独立状態である場合にはＤＣ/ＤＣコンバータ４１，４２，４３の入力側の電圧が異なることを利用して、接続装置３の状態を判定している。
【手続補正９】
【補正対象書類名】明細書
【補正対象項目名】００３６
【補正方法】変更
【補正の内容】
【００３６】
電圧値Ｖ３と電圧値Ｖ１との差が所定の電圧値ΔＶ以下である場合（Ｓ４：ＹＥＳ）、すなわち、電圧値Ｖ３と電圧値Ｖ１とが同電圧であると判断される場合、並列状態であると判定され、並列状態である旨の信号がＰＷＭ信号生成部９２に出力される（Ｓ５）。
【手続補正１０】
【補正対象書類名】明細書
【補正対象項目名】００３８
【補正方法】変更
【補正の内容】
【００３８】
なお、ステップＳ３で電圧値Ｖ２と電圧値Ｖ３との差が所定の電圧値ΔＶ以下である場合に並列状態であると判定して、ステップＳ４を省略してステップＳ５に進むようにしてもよい。また、ステップＳ２で電圧値Ｖ１と電圧値Ｖ２との差が所定の電圧値ΔＶ以下である場合に並列状態であると判定して、ステップＳ３およびＳ４を省略してステップＳ５に進むようにしてもよい。
【手続補正１１】
【補正対象書類名】明細書
【補正対象項目名】００５９
【補正方法】変更
【補正の内容】
【００５９】
同図に示すフローチャートにおいては、ステップＳ１３で、電圧値Ｖ２と電圧値Ｖ３との差が所定の電圧値ΔＶ以下である場合（Ｓ１３：ＹＥＳ）、ステップＳ１５に進んでいる。これは、電圧値Ｖ１と電圧値Ｖ２とが同電圧であり電圧値Ｖ２と電圧値Ｖ３とが同電圧であれば、電圧値Ｖ３と電圧値Ｖ１とを比較するまでもなく、並列状態であると推定できるからである。また、ステップＳ１３で、電圧値Ｖ２と電圧値Ｖ３との差が所定の電圧値ΔＶ以下でない場合（Ｓ１３：ＮＯ）、ステップＳ１７に進んでいる。これは、電圧値Ｖ１と電圧値Ｖ２とが同電圧であり電圧値Ｖ２と電圧値Ｖ３とが異なれば、電圧値Ｖ３と電圧値Ｖ１とは、比較するまでもなく、異なると推定できるからである。同様に、ステップＳ１８で、電圧値Ｖ２と電圧値Ｖ３との差が所定の電圧値ΔＶ以下である場合（Ｓ１８：ＹＥＳ）、電圧値Ｖ３と電圧値Ｖ１とは異なると推定できるので、ステップＳ２０に進んでいる。